(57)【要約】  【課題】  第１電気機器から第２電気機器へのアナログ信号の伝送処理又はデジタル信号の伝送処理の切替を回路的に行なう電気機器システム、電気機器、接続制御方法を提供する。  【解決手段】  マイコン１１は、オーディオ装置２に接続された場合、スイッチを開放してＵＳＢ接続端子１０ａ，２０ａ間を切断し、アナログ出力端子１０ｂからのアナログ信号の伝送制御を行なう。この状態でＵＳＢ接続用ボタン１ａが操作された場合、マイコン１１は、スイッチを閉鎖してＵＳＢ接続端子１０ａ，２０ａ間を接続し、アナログ信号の伝送制御を停止し、ＵＳＢ接続端子１０ａからのデジタル信号の伝送制御を開始する。マイコン１１は、デジタル信号の伝送制御中にアナログ信号の伝送指示を受け付けた場合、スイッチを開放してＵＳＢ接続端子１０ａ，２０ａ間を切断し、デジタル信号の伝送制御を停止し、アナログ出力端子１０ｂからのアナログ信号の伝送制御を開始する。【選択図】      図２
2006293440.tif 000002
【特許請求の範囲】
【請求項１】
外部からの制御信号を入力する入力端子、アナログ信号を出力するアナログ出力端子及びデジタル信号を出力するデジタル出力端子を含む機器コネクタを有する機器との接続が可能な電気機器において、
前記機器コネクタとの接続が可能な接続コネクタを備え、
該接続コネクタは、
前記入力端子との接続を行なって制御信号を出力する出力端子と、
前記アナログ出力端子から出力されたアナログ信号を入力するアナログ入力端子と、
前記デジタル出力端子から出力されたデジタル信号を入力するデジタル入力端子と
を含むことを特徴とする電気機器。
【請求項２】
外部からの制御信号を入力する入力端子、アナログ信号を出力するアナログ出力端子及びデジタル信号を出力するデジタル出力端子を有する第１電気機器と第２電気機器とを接続してある電気機器システムにおいて、
前記第２電気機器は、
前記入力端子との接続を行なって制御信号を出力する出力端子と、
前記アナログ出力端子から出力されたアナログ信号を入力するアナログ入力端子と、
前記デジタル出力端子から出力されたデジタル信号を入力するデジタル入力端子とを有しており、
前記第１電気機器は、前記アナログ出力端子又は前記デジタル出力端子のいずれかから信号を出力するように制御する出力制御手段を有することを特徴とする電気機器システム。
【請求項３】
前記出力制御手段は、前記第１電気機器及び前記第２電気機器が接続された場合、前記アナログ出力端子からアナログ信号を出力するように制御しており、
前記第１電気機器からのデジタル信号の出力を指示する出力指示を受け付ける受付手段を備え、
前記出力制御手段は、アナログ信号の出力制御中に前記受付手段が前記出力指示を受け付けた場合、前記アナログ出力端子からのアナログ信号の出力を停止し、前記デジタル出力端子からのデジタル信号の出力を開始するように制御することを特徴とする請求項２に記載の電気機器システム。
【請求項４】
前記受付手段は、前記第２電気機器に設けられており、
前記第２電気機器は、前記受付手段が前記出力指示を受け付けた場合、デジタル信号の出力を指示する制御信号を前記出力端子から出力するように構成してあり、
前記出力制御手段は、アナログ信号の出力制御中に前記入力端子から前記制御信号が入力された場合、前記アナログ出力端子からのアナログ信号の出力を停止し、前記デジタル出力端子からのデジタル信号の出力を開始するように制御することを特徴とする請求項３に記載の電気機器システム。
【請求項５】
前記受付手段は、前記第１電気機器に設けられており、
前記出力制御手段は、アナログ信号の出力制御中に前記出力指示を受け付けた場合、前記アナログ出力端子からのアナログ信号の出力を停止し、前記デジタル出力端子からのデジタル信号の出力を開始するように制御することを特徴とする請求項３に記載の電気機器システム。
【請求項６】
前記第１電気機器からのアナログ信号の出力を指示するアナログ出力指示を受け付ける手段を備え、
前記出力制御手段は、デジタル信号の出力制御中に前記アナログ出力指示を受け付けた場合、前記デジタル出力端子からのデジタル信号の出力を停止し、前記アナログ出力端子からのアナログ信号の出力を開始するように制御することを特徴とする請求項２乃至５のいずれかひとつに記載の電気機器システム。
【請求項７】
前記第１電気機器のデジタル出力端子及び前記第２電気機器のデジタル入力端子が接続された場合、前記デジタル出力端子及び前記デジタル入力端子間にはデータ伝送経路が形成され、
前記第１電気機器は、
一端がデジタル出力端子を介して前記データ伝送経路に接続され、他端が電源に接続されている負荷部と、
該負荷部の他端及び電源の間に設けられ、前記他端及び電源の接続及び切断の切替を行なう切替部とを有し、
前記出力制御手段は、前記負荷部の他端及び電源を接続又は切断するように前記切替部の切替制御を行なうことによって、前記デジタル出力端子又は前記アナログ出力端子から信号を出力するように制御することを特徴とする請求項２乃至６のいずれかひとつに記載の電気機器システム。
【請求項８】
外部からの制御信号を入力する入力端子、アナログ信号を出力するアナログ出力端子及びデジタル信号を出力するデジタル出力端子を有する第１電気機器と、前記入力端子との接続を行なって制御信号を出力する出力端子、前記アナログ出力端子から出力されたアナログ信号を入力するアナログ入力端子及び前記デジタル出力端子から出力されたデジタル信号を入力するデジタル入力端子を有する第２電気機器との接続を制御する接続制御方法であって、
前記第１電気機器が、前記アナログ出力端子又は前記デジタル出力端子のいずれかから信号を出力するように制御するステップを含むことを特徴とする接続制御方法。
【発明の詳細な説明】
【技術分野】
【０００１】
本発明は、外部からの制御信号を入力する入力端子、アナログ信号を出力するアナログ出力端子及びデジタル信号を出力するデジタル出力端子を有する機器との接続が可能な電気機器に関する。また、本発明は、前記機器である第１電気機器及び前記電気機器である第２電気機器を接続してある電気機器システム、該電気機器システムにおいて第１電気機器及び第２電気機器の接続を制御する接続制御方法に関する。
【背景技術】
【０００２】
パーソナルコンピュータに、キーボード、マウス、モデム、デジタルカメラ等の周辺機器を接続するためのケーブルとして、パーソナルコンピュータ及び周辺機器の電源を切らずに挿抜可能なＵＳＢ（Universal Serial Bus）ケーブルが利用されている。また、ＵＳＢケーブルを介してパーソナルコンピュータ（ホスト機器）に接続される周辺機器（端末機器）は、独自に電源を確保することができない場合、ＵＳＢケーブルの給電線を介してホスト機器から電力の供給を受けるように構成されている（例えば、特許文献１参照）。
【０００３】
ＵＳＢケーブルに接続されるホスト機器としてはパーソナルコンピュータに限られず、例えばスピーカを備えたオーディオ装置があり、ＵＳＢケーブルとの接続が可能な音楽プレーヤを端末機器としてＵＳＢケーブルを介してオーディオ装置に接続して利用することができる。この場合、音楽プレーヤは、オーディオ装置からの制御信号に従って記録媒体に記録してある音楽データをオーディオ装置へ転送し、オーディオ装置で再生することができる。
【０００４】
また、ＵＳＢケーブルとの接続を行なうＵＳＢ接続端子だけでなく、アナログ信号の出力を行なうアナログ出力端子も備えた音楽プレーヤが普及しており、アナログの音声信号の入力端子を有するオーディオ装置に接続することにより、音楽プレーヤに記録されているデジタル信号の音楽データをアナログ信号に変換してオーディオ装置へ転送し、オーディオ装置のスピーカで音声出力することができる。
【特許文献１】特開２００１−２６５３６０号公報
【発明の開示】
【発明が解決しようとする課題】
【０００５】
上述したようにＵＳＢ接続端子及びアナログ出力端子を備えた音楽プレーヤにおいて、ＵＳＢ接続端子とアナログ出力端子とを１つのコネクタとして構成した装置がある。このような音楽プレーヤを、アナログ信号の入力を行なうアナログ入力端子及びＵＳＢ接続端子を備えたオーディオ装置に接続した場合、ＵＳＢにおける通信プロトコルがマスストレージであれば、端末機器である音楽プレーヤとオーディオ装置との接続において、オーディオ装置は一般的にＵＳＢを介したデジタル信号の出力処理を行なうように音楽プレーヤを制御する。
【０００６】
このようにオーディオ装置がＵＳＢを介したデジタル信号の出力処理を行なうように音楽プレーヤを制御する場合、音楽プレーヤにおける記録媒体及びファイル処理部等がデジタル信号の出力処理に占有されるので、音楽プレーヤはアナログ信号の出力処理を行なうことができない。従って、ＵＳＢ接続端子及びアナログ出力端子を１つのコネクタに包含させた音楽プレーヤにおいて、オーディオ装置との接続を行なったと同時にアナログ信号の出力が不可能となる。これにより、アナログ信号及びデジタル信号の出力端子を共に備えている音楽プレーヤであっても、上述したオーディオ装置に接続された場合にはデジタル信号しか出力することができず、音楽プレーヤを有効に利用することができないという問題を有している。
【０００７】
本発明は斯かる事情に鑑みてなされたものであり、その目的とするところは、外部の機器が有する機器コネクタに含まれる入力端子、アナログ出力端子及びデジタル出力端子のそれぞれに接続される出力端子、アナログ入力端子及びデジタル入力端子を含む接続コネクタを備え、前記接続コネクタを前記機器コネクタに接続することによって外部の機器から出力されるアナログ信号又はデジタル信号をアナログ入力端子又はデジタル入力端子から取得することが可能な電気機器を提供することにある。
【０００８】
本発明の他の目的は、第１電気機器が有する入力端子、アナログ出力端子及びデジタル出力端子のそれぞれを、第２電気機器が有する出力端子、アナログ入力端子及びデジタル入力端子に接続することによって、第１電気機器から第２電気機器へアナログ信号又はデジタル信号を転送することが可能な電気機器システム、及び前記電気機器システムにおいて第１電気機器及び第２電気機器の接続を制御する接続制御方法を提供することにある。
【０００９】
本発明の他の目的は、アナログ信号の出力制御中の第１電気機器がデジタル信号の出力を指示する出力指示を受け付けた場合、アナログ信号の出力を停止してデジタル信号の出力を開始し、また、デジタル信号の出力制御中の第１電気機器がアナログ信号の出力を指示するアナログ出力指示を受け付けた場合、デジタル信号の出力を停止してアナログ信号の出力を開始することによって、第１電気機器におけるアナログ信号の出力機能及びデジタル信号の出力機能を有効に利用することが可能な電気機器システムを提供することにある。
【００１０】
本発明の他の目的は、第１電気機器内部の切替部によって第１電気機器のデジタル出力端子と第２電気機器のデジタル入力端子とを接続又は切断することにより、デジタル出力端子又はアナログ出力端子のいずれかからの信号の出力を回路的に制御することが可能な電気機器システムを提供することにある。
【課題を解決するための手段】
【００１１】
本発明に係る電気機器は、外部からの制御信号を入力する入力端子、アナログ信号を出力するアナログ出力端子及びデジタル信号を出力するデジタル出力端子を含む機器コネクタを有する機器との接続が可能な電気機器において、前記機器コネクタとの接続が可能な接続コネクタを備え、該接続コネクタは、前記入力端子との接続を行なって制御信号を出力する出力端子と、前記アナログ出力端子から出力されたアナログ信号を入力するアナログ入力端子と、前記デジタル出力端子から出力されたデジタル信号を入力するデジタル入力端子とを含むことを特徴とする。
【００１２】
本発明によれば、外部の機器との接続が可能な電気機器が、外部の機器が有する機器コネクタに含まれる入力端子、アナログ出力端子及びデジタル出力端子のそれぞれに接続される出力端子、アナログ入力端子及びデジタル入力端子を含む接続コネクタを備える。よって、前記接続コネクタを前記機器コネクタに接続することによって外部の機器から出力されるアナログ信号又はデジタル信号を取得することが可能となる。
【００１３】
本発明に係る電気機器システムは、外部からの制御信号を入力する入力端子、アナログ信号を出力するアナログ出力端子及びデジタル信号を出力するデジタル出力端子を有する第１電気機器と第２電気機器とを接続してある電気機器システムにおいて、前記第２電気機器は、前記入力端子との接続を行なって制御信号を出力する出力端子と、前記アナログ出力端子から出力されたアナログ信号を入力するアナログ入力端子と、前記デジタル出力端子から出力されたデジタル信号を入力するデジタル入力端子とを有しており、前記第１電気機器は、前記アナログ出力端子又は前記デジタル出力端子のいずれかから信号を出力するように制御する出力制御手段を有することを特徴とする。
【００１４】
本発明によれば、入力端子、アナログ出力端子及びデジタル出力端子を有する第１電気機器と、前記入力端子、アナログ出力端子及びデジタル出力端子のそれぞれに接続される出力端子、アナログ入力端子及びデジタル入力端子を有する第２電気機器とが接続してあり、第１電気機器は、アナログ出力端子又はデジタル出力端子のいずれかからの信号の出力を制御する。よって、第１電気機器及び第２電気機器を接続することによって、第１電気機器から第２電気機器へアナログ信号又はデジタル信号を転送することが可能となる。
【００１５】
本発明に係る電気機器システムは、前記出力制御手段は、前記第１電気機器及び前記第２電気機器が接続された場合、前記アナログ出力端子からアナログ信号を出力するように制御しており、前記第１電気機器からのデジタル信号の出力を指示する出力指示を受け付ける受付手段を備え、前記出力制御手段は、アナログ信号の出力制御中に前記受付手段が前記出力指示を受け付けた場合、前記アナログ出力端子からのアナログ信号の出力を停止し、前記デジタル出力端子からのデジタル信号の出力を開始するように制御することを特徴とする。
【００１６】
本発明によれば、第１電気機器及び第２電気機器が接続された場合、第１電気機器はアナログ出力端子からアナログ信号を出力するように制御している。また第１電気機器は、アナログ信号の出力制御中にデジタル信号の出力を指示する出力指示を受け付けた場合、アナログ出力端子からのアナログ信号の出力を停止し、デジタル出力端子からのデジタル信号の出力を開始するように制御する。よって、アナログ信号の出力を行なっている状態の第１電気機器にデジタル信号の出力を行なわせることが可能となる。
【００１７】
本発明に係る電気機器システムは、前記受付手段は、前記第２電気機器に設けられており、前記第２電気機器は、前記受付手段が前記出力指示を受け付けた場合、デジタル信号の出力を指示する制御信号を前記出力端子から出力するように構成してあり、前記出力制御手段は、アナログ信号の出力制御中に前記入力端子から前記制御信号が入力された場合、前記アナログ出力端子からのアナログ信号の出力を停止し、前記デジタル出力端子からのデジタル信号の出力を開始するように制御することを特徴とする。
【００１８】
本発明によれば、第１電気機器からのデジタル信号の出力を指示する出力指示は第２電気機器が受け付けるように構成してあり、第２電気機器は、前記出力指示を受け付けた場合、デジタル信号の出力を指示する制御信号を第１電気機器へ出力し、第１電気機器は、アナログ信号の出力制御中に前記制御信号を取得した場合、アナログ出力端子からのアナログ信号の出力を停止し、デジタル出力端子からのデジタル信号の出力を開始するように制御する。よって、ユーザが第２電気機器を適切に操作することにより、第１電気機器によるアナログ信号の出力処理からデジタル信号の出力処理へ切り替えることが可能となる。
【００１９】
本発明に係る電気機器システムは、前記受付手段は、前記第１電気機器に設けられており、前記出力制御手段は、アナログ信号の出力制御中に前記出力指示を受け付けた場合、前記アナログ出力端子からのアナログ信号の出力を停止し、前記デジタル出力端子からのデジタル信号の出力を開始するように制御することを特徴とする。
【００２０】
本発明によれば、第１電気機器からのデジタル信号の出力を指示する出力指示は第１電気機器が受け付けるように構成してあり、第１電気機器は、アナログ信号の出力制御中に前記出力指示を受け付けた場合、アナログ出力端子からのアナログ信号の出力を停止し、デジタル出力端子からのデジタル信号の出力を開始するように制御する。よって、ユーザが第１電気機器を適切に操作することにより、第１電気機器によるアナログ信号の出力処理からデジタル信号の出力処理へ切り替えることが可能となる。
【００２１】
本発明に係る電気機器システムは、前記第１電気機器からのアナログ信号の出力を指示するアナログ出力指示を受け付ける手段を備え、前記出力制御手段は、デジタル信号の出力制御中に前記アナログ出力指示を受け付けた場合、前記デジタル出力端子からのデジタル信号の出力を停止し、前記アナログ出力端子からのアナログ信号の出力を開始するように制御することを特徴とする。
【００２２】
本発明によれば、第１電気機器は、デジタル信号の出力制御中にアナログ信号の出力を指示するアナログ出力指示を受け付けた場合、デジタル出力端子からのデジタル信号の出力を停止し、アナログ出力端子からのアナログ信号の出力を開始するように制御する。よって、デジタル信号の出力を行なっている状態の第１電気機器にアナログ信号の出力を行なわせることが可能となる。
【００２３】
本発明に係る電気機器システムは、前記第１電気機器のデジタル出力端子及び前記第２電気機器のデジタル入力端子が接続された場合、前記デジタル出力端子及び前記デジタル入力端子間にはデータ伝送経路が形成され、前記第１電気機器は、一端がデジタル出力端子を介して前記データ伝送経路に接続され、他端が電源に接続されている負荷部と、該負荷部の他端及び電源の間に設けられ、前記他端及び電源の接続及び切断の切替を行なう切替部とを有し、前記出力制御手段は、前記負荷部の他端及び電源を接続又は切断するように前記切替部の切替制御を行なうことによって、前記デジタル出力端子又は前記アナログ出力端子から信号を出力するように制御することを特徴とする。
【００２４】
本発明によれば、第１電気機器は、デジタル出力端子及びデジタル入力端子間に形成されるデータ伝送経路にデジタル出力端子を介して一端が接続され、他端が電源に接続されている負荷部と、該負荷部の他端及び電源の間に設けられ、前記他端及び電源の接続及び切断の切替を行なう切替部とを有する。第１電気機器は、前記負荷部の他端及び電源を接続又は切断するように切替部の切替制御を行なうことによって、デジタル出力端子又はアナログ出力端子から信号を出力するように制御する。従って、切替部によって回路的にデジタル出力端子及びデジタル入力端子間の接続及び切断を行なうことが可能となる。
【００２５】
本発明に係る接続制御方法は、外部からの制御信号を入力する入力端子、アナログ信号を出力するアナログ出力端子及びデジタル信号を出力するデジタル出力端子を有する第１電気機器と、前記入力端子との接続を行なって制御信号を出力する出力端子、前記アナログ出力端子から出力されたアナログ信号を入力するアナログ入力端子及び前記デジタル出力端子から出力されたデジタル信号を入力するデジタル入力端子を有する第２電気機器との接続を制御する接続制御方法であって、前記第１電気機器が、前記アナログ出力端子又は前記デジタル出力端子のいずれかから信号を出力するように制御するステップを含むことを特徴とする。
【００２６】
本発明によれば、入力端子、アナログ出力端子及びデジタル出力端子を有する第１電気機器と、前記入力端子、アナログ出力端子及びデジタル出力端子のそれぞれに接続される出力端子、アナログ入力端子及びデジタル入力端子を有する第２電気機器とが接続してあり、第１電気機器は、アナログ出力端子又はデジタル出力端子のいずれかから信号を出力するように制御する。よって、第１電気機器から第２電気機器へアナログ信号又はデジタル信号を転送することが可能となる。
【発明の効果】
【００２７】
本発明では、外部の機器との接続が可能な電気機器が、外部の機器が有する機器コネクタに含まれる入力端子、アナログ出力端子及びデジタル出力端子のそれぞれに接続される出力端子、アナログ入力端子及びデジタル入力端子を含む接続コネクタを備える。よって、接続ケーブルを介して外部の機器に接続することなく、前記接続コネクタを前記機器コネクタに接続することによって外部の機器から出力されるアナログ信号又はデジタル信号をアナログ入力端子又はデジタル入力端子から取得することができる。
【００２８】
本発明では、第１電気機器の入力端子、アナログ出力端子及びデジタル出力端子のそれぞれを、第２電気機器の出力端子、アナログ入力端子及びデジタル入力端子に接続することにより、第１電気機器から第２電気機器へアナログ信号又はデジタル信号を転送することができる。よって、第１電気機器が有するアナログ信号の出力機能又はデジタル信号の出力機能を容易に利用することができる。
【００２９】
本発明では、アナログ信号の出力を行なっている状態の第１電気機器に対してデジタル信号の出力を指示する出力指示を受け付けた場合、第１電気機器は、アナログ出力端子からのアナログ信号の出力を停止し、デジタル出力端子からのデジタル信号の出力を開始する。よって、第１電気機器が有するアナログ信号の出力機能及びデジタル信号の出力機能を適宜切り替えて有効に利用することができる。
【００３０】
本発明では、第１電気機器からのデジタル信号の出力を指示する出力指示は第２電気機器が受け付けるように構成してあり、第２電気機器は、前記出力指示を受け付けた場合、デジタル信号の出力を指示する制御信号を第１電気機器へ出力する。第１電気機器は、アナログ信号の出力制御中に前記制御信号を取得した場合、アナログ出力端子からのアナログ信号の出力を停止し、デジタル出力端子からのデジタル信号の出力を開始する。よって、ユーザが第２電気機器を適切に操作することにより、第１電気機器によるアナログ信号の出力処理からデジタル信号の出力処理へ切り替えることができ、第１電気機器が有するアナログ信号の出力機能及びデジタル信号の出力機能を適宜有効に利用することができる。
【００３１】
本発明では、第１電気機器からのデジタル信号の出力を指示する出力指示は第１電気機器が受け付けるように構成してあり、第１電気機器は、アナログ信号の出力制御中に前記出力指示を受け付けた場合、アナログ出力端子からのアナログ信号の出力を停止し、デジタル出力端子からのデジタル信号の出力を開始する。よって、ユーザが第１電気機器を適切に操作することにより、第１電気機器によるアナログ信号の出力処理からデジタル信号の出力処理へ切り替えることができ、第１電気機器が有するアナログ信号の出力機能及びデジタル信号の出力機能を適宜有効に利用することができる。
【００３２】
本発明では、デジタル信号の出力を行なっている状態の第１電気機器に対してアナログ信号の出力を指示するアナログ出力指示を受け付けた場合、第１電気機器は、デジタル出力端子からのデジタル信号の出力を停止し、アナログ出力端子からのアナログ信号の出力を開始する。よって、第１電気機器が有するアナログ信号の出力機能及びデジタル信号の出力機能を適宜切り替えて有効に利用することができる。
【００３３】
本発明では、第１電気機器は、デジタル出力端子及びデジタル入力端子間に形成されるデータ伝送経路にデジタル出力端子を介して一端が接続され、他端が電源に接続されている負荷部の他端及び電源の間に設けられた切替部によって前記負荷部の他端及び電源を接続又は切断する。よって、切替部によって回路的にデジタル出力端子及びデジタル入力端子間の接続及び切断を行なうことにより、デジタル出力端子又はアナログ出力端子から信号を出力することができる。
【００３４】
本発明では、入力端子、アナログ出力端子及びデジタル出力端子を有する第１電気機器と、前記入力端子、アナログ出力端子及びデジタル出力端子のそれぞれに接続される出力端子、アナログ入力端子及びデジタル入力端子を有する第２電気機器とが接続してあり、第１電気機器は、アナログ出力端子又はデジタル出力端子のいずれかから信号を出力するように制御する。よって、第１電気機器から第２電気機器へアナログ信号又はデジタル信号を転送することができる。
【発明を実施するための最良の形態】
【００３５】
以下に、本発明に係る電気機器システムをその実施形態を示す図面に基づいて詳述する。図１は本発明に係る電気機器システムの構成例を示す斜視図である。本実施形態の電気機器システムは、第１電気機器としての音楽プレーヤ１と、第２電気機器としてのオーディオ装置２とを接続することによって構成されている。
【００３６】
音楽プレーヤ１は直方体状の筺体に形成されており、一側面に後述するＵＳＢ接続用ボタン１ａを備えており、底面にオーディオ装置２との接続を行なう機器コネクタ１０（図２参照）を備えている。一方、オーディオ装置２は直方体状の筺体に形成されており、一側面にスピーカ２ａを備えている。オーディオ装置２のスピーカ２ａの配置面の下側中央には、上面に接続コネクタ２０を有するクレードル２ｂが突設されている。クレードル２ｂの上面には、音楽プレーヤ１の底面と同程度の大きさの矩形断面を有する凹部が形成されており、凹部の底面に音楽プレーヤ１の機器コネクタ１０との接続が可能な接続コネクタ２０が設けられている。
【００３７】
上述した構成により、オーディオ装置２のクレードル２ｂに矢符Ａで示す方向で音楽プレーヤ１が搭載された場合、音楽プレーヤ１が有する機器コネクタ１０とクレードル２ｂが有する接続コネクタ２０とが直接的に接続されると共に、クレードル２ｂは接続された音楽プレーヤ１を支持して固定することができる。
【００３８】
図２は本発明に係る電気機器システムの概略構成例を示すブロック図である。音楽プレーヤ１の機器コネクタ１０は、オーディオ装置２からの制御信号を入力する入力端子１０ｃと、アナログ信号を出力するアナログ出力端子１０ｂと、ＵＳＢとの接続を行なうＵＳＢ接続端子１０ａとを含んでいる。また、オーディオ装置２の接続コネクタ２０は、音楽プレーヤ１の入力端子１０ｃとの接続を行なって制御信号を音楽プレーヤ１へ出力する出力端子２０ｃと、音楽プレーヤ１のアナログ出力端子１０ｂから出力されたアナログ信号を入力するアナログ入力端子２０ｂと、ＵＳＢとの接続を行なうＵＳＢ接続端子２０ａとを含んでいる。
【００３９】
従って、オーディオ装置２のクレードル２ｂに音楽プレーヤ１を搭載することにより、オーディオ装置２及び音楽プレーヤ１の間では、出力端子２０ｃ及び入力端子１０ｃを介した制御信号の伝送処理、アナログ出力端子１０ｂ及びアナログ入力端子２０ｂを介したアナログ信号の伝送処理、ＵＳＢ接続端子１０ａ及び２０ａを介したデジタル信号の伝送処理が可能となる。なお、本実施形態の音楽プレーヤ１は、オーディオ装置２のクレードル２ｂに搭載されてオーディオ装置２に接続された場合、アナログ出力端子１０ｂからのアナログ信号の出力を制御するように構成されている。
【００４０】
音楽プレーヤ１は、演算を行なうマイコン１１、入力端子１０ｃに接続された機器制御部１２、ファイル処理部１３、記録装置１４、デジタル信号処理部１５、ＤＡＣ（Ｄ／Ａ変換器）１６、ＵＳＢドライバ１７、ＵＳＢ端末コントローラ１８等を主要構成要素として備えている。マイコン１１は、音楽プレーヤ１の制御中枢として動作し、相互に接続されている上述したようなハードウェア各部の動作を制御する。なお、図２では、マイコン１１が機器制御部１２、ファイル処理部１３及びデジタル信号処理部１５と接続されている構成を示しているが、マイコン１１はその他のハードウェア各部とも接続されている。
【００４１】
機器制御部１２は、オーディオ装置２の出力端子２０ｃから出力された制御信号を入力端子１０ｃを介して取得しており、取得した制御信号をマイコン１１へ出力する。マイコン１１は、機器制御部１２から取得した制御信号に従って音楽プレーヤ１のハードウェア各部を制御しており、これにより、音楽プレーヤ１はオーディオ装置２からの制御信号に従った動作を行なうことができる。
【００４２】
記録装置１４は、例えば大容量のハードディスクからなり、デジタルの音楽データを記録してある。なお、音楽プレーヤ１は、ＵＳＢを介してＰＣとの接続が可能に構成されており、機器コネクタ１０を介して接続されたＰＣから取得した音楽データが記録装置１４に記録されている。ファイル処理部１３は、記録装置１４がハードディスクである場合にはＡＴＡコントローラとして動作すると共に、マイコン１１による制御に従って、記録装置１４に対する音楽データの読み書きを制御するファイルシステムとして動作する。
【００４３】
デジタル信号処理部１５は、ファイル処理部１３に接続されており、マイコン１１による制御に従ってファイル処理部１３が記録装置１４から読み出したデジタルの音楽データに所定のデジタル信号処理を行なってＤＡＣ１６へ出力する。デジタル信号処理部１５は、例えばＭＰ３フォーマットの音楽データを記録装置１４に記録する構成である場合には、ＭＰ３フォーマットの音楽データを音声信号に復号化伸長するデコーダを有している。ＤＡＣ１６は、マイコン１１による制御に従ってデジタル信号処理部１５が復号化伸長したデジタルの音声信号をアナログの音声信号（アナログ信号）に変換し、アナログ出力端子１０ｂから出力する。
【００４４】
ＵＳＢドライバ１７は、ファイル処理部１３に接続されており、マイコン１１による制御に従ってファイル処理部１３が記録装置１４から読み出したデジタルの音楽データをＵＳＢ端末コントローラ１８へ出力する。ＵＳＢ端末コントローラ１８は、ＵＳＢ接続端子１０ａ及び２０ａを介してオーディオ装置２との間でのデータ送受信を行なうためのインタフェースであり、ＵＳＢドライバ１７から取得するデジタルの音楽データをＵＳＢ接続端子（デジタル出力端子）１０ａからオーディオ装置２へ出力する。
【００４５】
一方、オーディオ装置２は、演算を行なうマイコン２１、出力端子２０ｃに接続された端末機器制御部２２、アナログ出力処理部２３、アナログ信号処理部２４、ＵＳＢホストコントローラ２５、デジタル信号処理部２６、ＤＡＣ２７、操作部２８、表示部２９等を主要構成要素として備えている。マイコン２１は、オーディオ装置２の制御中枢として動作しており、相互に接続されている上述したようなハードウェア各部の動作を制御する。なお、図２では、マイコン２１が端末機器制御部２２、操作部２８及び表示部２９と接続されている構成を示しているが、マイコン２１はその他のハードウェア各部とも接続されている。端末機器制御部２２は、マイコン２１による制御に従って、出力端子２０ｃを介して音楽プレーヤ１へ各種の制御信号を出力する。
【００４６】
アナログ信号処理部２４は、音楽プレーヤ１のアナログ出力端子１０ｂから出力されたアナログの音声信号に所定の信号処理を行なってアナログ出力処理部２３へ出力する。アナログ出力処理部２３は、例えば音声増幅回路を有しており、アナログ信号処理部２４から取得する音声信号を所定の大きさに増幅させた後にスピーカ２ａへ出力し、スピーカ２ａによって再生出力させる。
【００４７】
ＵＳＢホストコントローラ２５は、ＵＳＢ接続端子２０ａ及び１０ａを介して音楽プレーヤ１との間でのデータ送受信を行なうためのインタフェースであり、音楽プレーヤ１のＵＳＢ接続端子１０ａから出力されたデジタルの音楽データをＵＳＢ接続端子（デジタル入力端子）２０ａを介して取得し、デジタル信号処理部２６へ出力する。デジタル信号処理部２６は、ＵＳＢホストコントローラ２５から取得するデジタルの音楽データに所定のデジタル信号処理を行なってＤＡＣ２７へ出力する。
【００４８】
デジタル信号処理部１５は、例えばＭＰ３フォーマットの音楽データをＵＳＢ接続端子２０ａから取得する構成である場合には、ＭＰ３フォーマットの音楽データを音声信号に復号化伸長するデコーダを有している。ＤＡＣ２７は、マイコン２１による制御に従ってデジタル信号処理部２６が復号化伸長したデジタルの音声信号をアナログの音声信号に変換してアナログ出力処理部２３へ出力する。アナログ出力処理部２３は、ＤＡＣ２７から取得する音声信号に対しても、所定の大きさに増幅させた後にスピーカ２ａへ出力し、スピーカ２ａによって再生出力させる。
【００４９】
操作部２８は、オーディオ装置２をユーザが操作するために必要な各種のキーを備えており、ユーザにより各キーが操作された場合、操作されたキーに対応した制御信号がマイコン２１へ送出される。これにより、マイコン２１は操作部２８から取得した制御信号に従って各種処理を実行することができる。表示部２９は、例えば液晶表示パネルからなる表示デバイスであり、オーディオ装置２の動作状態、ユーザに対して通知すべき情報等の表示を行なう。
【００５０】
図３は本発明に係る電気機器システムの概略構成例を示すブロック図であり、電気機器システムにおいてＵＳＢ接続端子１０ａ及び２０ａの周辺部分の構成例を示している。オーディオ装置２のクレードル２ｂに音楽プレーヤ１が搭載され、音楽プレーヤ１及びオーディオ装置２が接続された場合、ＵＳＢ接続端子１０ａ及び２０ａ間には、オーディオ装置２から音楽プレーヤ１へ電力を供給するための給電経路Ｖｂｕｓ及びグランド経路ＧＮＤ、オーディオ装置２及び音楽プレーヤ１の間でデータ送受信を行なうためのデータ伝送経路Ｄ＋，Ｄ−が形成される。
【００５１】
オーディオ装置２のＵＳＢ接続端子２０ａは、給電経路Ｖｂｕｓ、グランド経路ＧＮＤ、データ伝送経路Ｄ＋，Ｄ−との接続をそれぞれ行なう電源端子、グランド端子、Ｄ＋端子及びＤ−端子を有している。同様に、音楽プレーヤ１のＵＳＢ接続端子１０ａも、給電経路Ｖｂｕｓ、グランド経路ＧＮＤ、データ伝送経路Ｄ＋，Ｄ−との接続をそれぞれ行なう電源端子、グランド端子、Ｄ＋端子及びＤ−端子を有している。
【００５２】
また、オーディオ装置２のＵＳＢホストコントローラ２５は、ＵＳＢ接続端子２０ａのＤ＋端子及びＤ−端子と接続されており、マイコン２１による制御に従ってデータ伝送経路Ｄ＋，Ｄ−を介して音楽プレーヤ１へデータ（コマンド）の送受信を行なう。オーディオ装置２は、ＵＳＢ接続端子２０ａの電源端子を電源Ｖｃｃに接続しており、ＵＳＢ接続端子２０ａのグランド端子をグランド（０Ｖ）ＧＮＤに接続している。またオーディオ装置２は、一端がＵＳＢ接続端子２０ａのＤ−端子に接続され、他端が電源Ｖｃｃに接続されている抵抗（プルアップ抵抗）Ｒ１と、一端がＵＳＢ接続端子２０ａのＤ＋端子に接続され、他端がグランドＧＮＤに接続されている抵抗（プルダウン抵抗）Ｒ２とを備えている。
【００５３】
音楽プレーヤ１のＵＳＢ端末コントローラ１８は、ＵＳＢ接続端子１０ａのＤ＋端子及びＤ−端子と接続されており、マイコン１１による制御に従ってデータ伝送経路Ｄ＋，Ｄ−を介してオーディオ装置２へデータの送受信を行なう。音楽プレーヤ１は、ＵＳＢ接続端子１０ａのグランド端子をグランドＧＮＤに接続している。また音楽プレーヤ１は、一端がＵＳＢ接続端子１０ａのＤ＋端子に接続され、他端がＵＳＢ接続端子１０ａの電源端子に接続されている抵抗（プルアップ抵抗）（負荷部）Ｒ１と、一端がＵＳＢ接続端子１０ａのＤ−端子に接続され、他端がグランドＧＮＤに接続されている抵抗（プルダウン抵抗）Ｒ２とを備えている。
【００５４】
更に、音楽プレーヤ１は、ＵＳＢ接続端子１０ａの電源端子と抵抗Ｒ１との間に開閉を行なうスイッチ（切替部）ＳＷを設けており、マイコン１１による制御に従ってＵＳＢ接続端子１０ａの電源端子と抵抗Ｒ１との回路的な接続及び切断の切り替えを行なうことができる。なお、音楽プレーヤ１に設けられる抵抗Ｒ１は、抵抗単体に限られず、例えばコンデンサ及びコイル等の抵抗と等価な素子及び回路、内部抵抗を有する素子及び回路であってもよく、また、抵抗として動作するように構成された各種の素子及び回路等であってもよい。
【００５５】
上述した構成の電気機器システムにおいて、音楽プレーヤ１及びオーディオ装置２が接続された場合、ＵＳＢ接続端子１０ａ及び２０ａ間に形成される給電経路Ｖｂｕｓを介してオーディオ装置２から音楽プレーヤ１へ電力が供給されるため、音楽プレーヤ１の抵抗Ｒ１が所定電圧にプルアップされる。音楽プレーヤ１の抵抗Ｒ１がプルアップされることによるＵＳＢ接続端子１０ａのＤ＋端子の電圧が、ＵＳＢ接続端子１０ａ及び２０ａ間に形成されるデータ伝送経路Ｄ＋を介してオーディオ装置２のＤ＋端子に伝達され、これにより、ＵＳＢホストコントローラ２５は、音楽プレーヤ１が接続されたことを検出することができる。
【００５６】
ここで、本実施形態の電気機器システムでは、音楽プレーヤ１及びオーディオ装置２が接続された場合、音楽プレーヤ１のマイコン（出力制御手段）１１は、アナログ出力端子１０ｂ及びアナログ入力端子２０ｂを介したアナログ信号の伝送処理、又はＵＳＢ接続端子１０ａ及び２０ａを介したデジタル信号の伝送処理のいずれかを行なうように構成されている。従って、機器コネクタ１０及び接続コネクタ２０を介して音楽プレーヤ１及びオーディオ装置２が接続された場合であっても、アナログ信号及びデジタル信号を同時に音楽プレーヤ１からオーディオ装置２へ出力することはできない。
【００５７】
具体的には、上述した電気機器システムにおいて、オーディオ装置２のクレードル２ｂに音楽プレーヤ１が搭載され、音楽プレーヤ１及びオーディオ装置２が接続された場合、音楽プレーヤ１のマイコン１１は、スイッチＳＷを開放するように制御することによってＵＳＢ接続端子１０ａの電源端子と抵抗Ｒ１とを切断させる。これにより、音楽プレーヤ１及びオーディオ装置２が接続された直後は、ＵＳＢ接続端子１０ａ及び２０ａを介した接続が切断された状態となるため、音楽プレーヤ１からオーディオ装置２へのデジタル信号の伝送処理を行なうことができず、アナログ信号の伝送処理のみが行なわれることになる。
【００５８】
ここで、音楽プレーヤ１のＵＳＢ接続用ボタン（受付手段）１ａは、上述したようにアナログ信号の伝送処理を行なっている音楽プレーヤ１に対してＵＳＢを介したデジタル信号の出力を指示する際に用いるボタンである。よって、ユーザがＵＳＢ接続用ボタン１ａを操作した場合、ＵＳＢ接続用ボタン１ａはデジタル信号の出力を指示する出力指示をマイコン１１へ送出する。なお、ＵＳＢ接続用ボタン１ａは、押下することによってオンすることができる押しボタン式であってもよく、スライドさせることによってオン・オフすることができるスライド式であってもよい。また、ＵＳＢ接続用ボタン１ａは専用のボタンである必要はなく、音楽プレーヤ１に設けられた操作部（図示せず）を適切に操作することによってＵＳＢ接続端子１０ａ及び２０ａの接続を指示できるように音楽プレーヤ１が構成されておればよい。
【００５９】
マイコン１１は、上述したようにスイッチＳＷを開放させることによってデジタル信号の伝送処理を行なわずに、アナログ信号の伝送処理を制御している状態でＵＳＢ接続用ボタン１ａから出力指示を取得した場合、スイッチＳＷを閉鎖するように制御することによってＵＳＢ接続端子１０ａの電源端子と抵抗Ｒ１とを接続させる。これにより、音楽プレーヤ１の抵抗Ｒ１が所定電圧にプルアップされ、抵抗Ｒ１がプルアップされることによるＵＳＢ接続端子１０ａのＤ＋端子の電圧が、データ伝送経路Ｄ＋を介してオーディオ装置２のＤ＋端子に伝達される。従って、ＵＳＢホストコントローラ２５は、音楽プレーヤ１が接続されたことを検出することができ、音楽プレーヤ１からオーディオ装置２へのアナログ信号の伝送が停止され、ＵＳＢ接続端子１０ａ及び２０ａを介したデジタル信号の伝送が開始される。
【００６０】
一方、上述したようにスイッチＳＷを閉鎖させることによってＵＳＢ接続端子１０ａ及び２０ａを介したデジタル信号の伝送処理が可能な状態で、音楽プレーヤ１からオーディオ装置２へアナログ信号の伝送処理を再度行ないたい場合、ユーザは、オーディオ装置２の表示部２９に表示される所定の画面に従って操作部２８を適切に操作することによりアナログ信号の伝送処理を開始する指示を行なう。なお、オーディオ装置２は、アナログ信号の伝送処理を開始させるための専用の操作ボタンを有する構成であってもよい。
【００６１】
オーディオ装置２のマイコン２１は、ユーザによるアナログ信号の伝送処理を開始する指示を受け付けた場合、アナログ信号の伝送処理を指示するアナログ出力指示をＵＳＢ接続端子２０ａのＤ＋端子及びＤ−端子から音楽プレーヤ１へ送出する。音楽プレーヤ１のＵＳＢ端末コントローラ１８は、ＵＳＢ接続端子１０ａのＤ＋端子及びＤ−端を介してアナログ出力指示を受け付けた場合、マイコン１１へ通知し、マイコン１１は、閉鎖された状態のスイッチＳＷを開放するように制御することによってＵＳＢ接続端子１０ａの電源端子と抵抗Ｒ１とを切断させる。これにより、音楽プレーヤ１からオーディオ装置２へのデジタル信号の伝送が停止され、アナログ信号の伝送が開始されることになる。
【００６２】
上述した構成により、音楽プレーヤ１及びオーディオ装置２が接続された直後においては、音楽プレーヤ１はオーディオ装置２へのアナログ信号の伝送制御を行なっており、ユーザによって音楽プレーヤ１のＵＳＢ接続用ボタン１ａが操作された場合、音楽プレーヤ１はオーディオ装置２へのアナログ信号の伝送制御を停止してデジタル信号の伝送制御を開始する。また、音楽プレーヤ１がオーディオ装置２へのデジタル信号の伝送制御を行なっている場合に、ユーザによってオーディオ装置２の操作部２８が適切に操作されてアナログ信号の出力が指示された場合、音楽プレーヤ１はオーディオ装置２へのデジタル信号の伝送制御を停止してアナログ信号の伝送制御を開始する。従って、音楽プレーヤ１が有するアナログ信号の出力機能及びデジタル信号の出力機能を有効に利用することができる。
【００６３】
以下に、上述した構成の電気機器システムにおいて、オーディオ装置２へのアナログ信号の伝送処理を行なっている音楽プレーヤ１が、オーディオ装置２へのデジタル信号の伝送処理を開始する場合に音楽プレーヤ１が行なう処理について説明する。図４は本発明に係る電気機器システムにおける音楽プレーヤ１によるアナログ信号の伝送処理からデジタル信号の伝送処理への切替処理の手順を示すフローチャートである。なお、以下の処理は、マイコン１１に内蔵されているＲＯＭに格納されている制御プログラムに従ってマイコン１１が実行する。
【００６４】
音楽プレーヤ１がオーディオ装置２のクレードル２ｂに搭載されて音楽プレーヤ１及びオーディオ装置２が接続された場合、音楽プレーヤ１のマイコン１１は、スイッチＳＷを開放するように制御することによって（Ｓ１）、ＵＳＢ接続端子１０ａの電源端子と抵抗Ｒ１とを切断させる。これにより、ＵＳＢ接続端子１０ａ及び２０ａを介した接続が切断された状態となるため、音楽プレーヤ１及びオーディオ装置２が接続された直後において、音楽プレーヤ１は、オーディオ装置２へのアナログ信号の伝送処理を制御する（Ｓ２）。具体的には、マイコン１１は、オーディオ装置２の出力端子２０ｃから出力された制御信号に従って記録装置１４から音楽データを読み出し、読み出した音楽データをファイル処理部１３、デジタル信号処理部１５及びＤＡＣ１６によってそれぞれ所定の処理を施した後にアナログ出力端子１０ｂから出力する。
【００６５】
オーディオ装置２へのアナログ信号の伝送処理を行なっている音楽プレーヤ１において、マイコン１１は、ＵＳＢ接続用ボタン１ａが操作されたか否かを判断しており（Ｓ３）、ＵＳＢ接続用ボタン１ａが操作されていない場合（Ｓ３：ＮＯ）、オーディオ装置２へのアナログ信号の伝送制御を継続する（Ｓ２）。マイコン１１は、ＵＳＢ接続用ボタン１ａが操作されたと判断した場合（Ｓ３：ＹＥＳ）、スイッチＳＷが既に開放されているか否かを判断する（Ｓ４）。マイコン１１は、スイッチＳＷが開放されていると判断した場合（Ｓ４：ＹＥＳ）、スイッチＳＷを閉鎖するように制御することによって（Ｓ５）、ＵＳＢ接続端子１０ａの電源端子と抵抗Ｒ１とを接続させる。
【００６６】
このようにスイッチＳＷを閉鎖させた場合、音楽プレーヤ１の抵抗Ｒ１が所定電圧にプルアップされ、ＵＳＢ接続端子１０ａのＤ＋端子の電圧がデータ伝送経路Ｄ＋を介してオーディオ装置２のＤ＋端子に伝達される。従って、オーディオ装置２のＵＳＢホストコントローラ２５は、音楽プレーヤ１が接続されたことを検出することができ、音楽プレーヤ１のマイコン１１は、ＵＳＢ接続端子１０ａ及び２０ａを介したオーディオ装置２へのデジタル信号の伝送処理を制御する（Ｓ６）。なお、この状態では、音楽プレーヤ１からオーディオ装置２へのアナログ信号の伝送制御が停止される。
【００６７】
一方、マイコン１１は、スイッチＳＷが開放されていないと判断した場合（Ｓ４：ＮＯ）、即ちスイッチＳＷが閉鎖されており、既にＵＳＢ接続端子１０ａ及び２０ａを介したデジタル信号の伝送制御が開始されている場合、オーディオ装置２へのデジタル信号の伝送制御中である旨を図示しない通知手段からユーザに通知する（Ｓ７）。なお、通知手段としては、通知メッセージの表示、音声の出力、警告ランプの点灯等が利用できる。
【００６８】
以下に、上述した構成の電気機器システムにおいて、上述したようにスイッチＳＷを閉鎖させることによってオーディオ装置２へのデジタル信号の伝送処理を行なっている音楽プレーヤ１が、オーディオ装置２へのアナログ信号の伝送処理を開始する場合に音楽プレーヤ１が行なう処理について説明する。図５は本発明に係る電気機器システムにおける音楽プレーヤ１によるデジタル信号の伝送処理からアナログ信号の伝送処理への切替処理の手順を示すフローチャートである。なお、以下の処理は、マイコン１１，２１に内蔵されているＲＯＭに格納されている制御プログラムに従ってマイコン１１，２１が実行する。
【００６９】
音楽プレーヤ１及びオーディオ装置２が接続されており、スイッチＳＷが閉鎖された状態の音楽プレーヤ１において、マイコン１１は、ＵＳＢ接続端子１０ａ及び２０ａを介したデジタル信号の伝送処理を制御する（Ｓ１１）。具体的には、マイコン１１は、オーディオ装置２のＵＳＢ接続端子２０ａのＤ＋端子及びＤ−端子から出力された制御信号に従って記録装置１４から音楽データを読み出し、読み出した音楽データをファイル処理部１３、ＵＳＢドライバ１７及びＵＳＢ端末コントローラ１８を介してＵＳＢ接続端子１０aから出力する。
【００７０】
オーディオ装置２のマイコン２１は、音楽プレーヤ１から出力された音楽データをＵＳＢ接続端子２０ａを介してＵＳＢホストコントローラ２５によって取得し、取得した音楽データをデジタル信号処理部２６、ＤＡＣ２７及びアナログ出力処理部２３によってそれぞれ所定の処理を施した後にスピーカ２ａから再生する（Ｓ１２）。音楽プレーヤ１から取得したデジタルの音楽データを再生しているオーディオ装置２において、マイコン２１は、ユーザが表示部２９に表示される所定の画面に従って操作部２８を適切に操作することによりアナログ信号の伝送処理を開始する指示を受け付けたか否かを判断する（Ｓ１３）。
【００７１】
オーディオ装置２のマイコン２１は、アナログ信号の伝送処理を開始する指示を受け付けていないと判断した場合（Ｓ１３：ＮＯ）、音楽プレーヤ１から取得する音楽データのスピーカ２ａからの再生を継続する（Ｓ１２）。マイコン１１は、アナログ信号の伝送処理を開始する指示を受け付けたと判断した場合（Ｓ１３：ＹＥＳ）、アナログ信号の伝送処理を指示するアナログ出力指示をＵＳＢ接続端子２０ａのＤ＋端子及びＤ−端子から音楽プレーヤ１へ送出する（Ｓ１４）。
【００７２】
音楽プレーヤ１のマイコン１１は、オーディオ装置２からアナログ出力指示を取得したか否かを判断しており（Ｓ１５）、アナログ出力指示を取得していないと判断した場合（Ｓ１５：ＮＯ）、ステップＳ１１へ処理を戻し、ＵＳＢ接続端子１０ａ及び２０ａを介したデジタル信号の伝送処理を継続する。また、マイコン１１は、アナログ出力指示を取得したと判断した場合（Ｓ１５：ＹＥＳ）、スイッチＳＷが既に開放されているか否かを判断し（Ｓ１６）、スイッチＳＷが開放されていると判断した場合（Ｓ１６：ＹＥＳ）、即ちスイッチＳＷが解放されており、ＵＳＢ接続端子１０ａ及び２０ａを介したデジタル信号の伝送制御が停止され、アナログ出力端子１０ｂ及びアナログ入力端子２０ｂを介したアナログ信号の伝送制御が開始されている場合、オーディオ装置２へのアナログ信号の伝送制御中である旨を通知手段からユーザに通知する（Ｓ１７）。
【００７３】
一方、音楽プレーヤ１のマイコン１１は、スイッチＳＷが開放されていないと判断した場合（Ｓ１６：ＮＯ）、スイッチＳＷを開放するように制御することによって（Ｓ１８）、ＵＳＢ接続端子１０ａの電源端子と抵抗Ｒ１とを切断させる。これにより、ＵＳＢ接続端子１０ａ及び２０ａを介した接続が切断された状態となるため、音楽プレーヤ１は、オーディオ装置２へのアナログ信号の伝送処理を制御する（Ｓ１９）。なお、この状態では、音楽プレーヤ１からオーディオ装置２へのデジタル信号の伝送制御は行なわれない。
【００７４】
上述したように、接続してある音楽プレーヤ１及びオーディオ装置２において、ユーザが音楽プレーヤ１のＵＳＢ接続用ボタン１ａを操作することにより、オーディオ装置２へのアナログ信号の伝送制御を行なっている音楽プレーヤ１は、アナログ信号の伝送制御を停止させてデジタル信号の伝送制御を開始することができる。また、ユーザがオーディオ装置２の操作部２８を適切に操作することにより、オーディオ装置２へのデジタル信号の伝送制御を行なっている音楽プレーヤ１は、デジタル信号の伝送制御を停止させてアナログ信号の伝送制御を開始することができる。従って、音楽プレーヤ１が有するアナログ信号の出力機能及びデジタル信号の出力機能を有効に利用することができる。
【００７５】
上述した実施形態では、音楽プレーヤ１及びオーディオ装置２が接続された直後には、音楽プレーヤ１がオーディオ装置２へアナログ信号の伝送制御を行なう構成について説明したが、音楽プレーヤ１がデジタル信号の伝送制御を行なう構成であってもよい。この場合、音楽プレーヤ１にＵＳＢ接続用ボタン１ａを設けるのではなく、アナログ接続用ボタン又はＵＳＢ切断用ボタンを設ければよい。
【００７６】
また、上述した実施形態では、オーディオ装置２へのアナログ信号の伝送制御を行なっている音楽プレーヤ１にデジタル信号の伝送制御を行なわせる際に音楽プレーヤ１のＵＳＢ接続用ボタン１ａを操作する構成について説明したが、オーディオ装置２を操作することによってアナログ信号の伝送制御からデジタル信号の伝送制御への切り替えを指示するようにしてもよい。なお、この場合、オーディオ装置２の表示部２９に表示される所定の画面に従って操作部２８を適切に操作することにより切り替えを指示する構成であってもよく、専用のボタンをオーディオ装置２へ設けた構成であってもよい。
【００７７】
具体的には、オーディオ装置２がアナログ信号の伝送制御からデジタル信号の伝送制御への切り替えの指示を受け付けた場合、マイコン２１がデジタル信号の出力を指示する制御信号を出力端子２０ｃから音楽プレーヤ１へ出力し、この制御信号を取得することにより音楽プレーヤ１が、アナログ信号の伝送制御を停止させてデジタル信号の伝送制御を開始させるように構成すればよい。
【００７８】
更に、上述した実施形態では、オーディオ装置２のクレードル２ｂに音楽プレーヤ１を搭載させて接続させる構成について説明したが、オーディオ装置２にクレードル２ｂを設ける必要はない。例えば音楽プレーヤ１の機器コネクタ１０及びオーディオ装置２の接続コネクタ２０を直接接続するように構成してもよく、オーディオ装置２の出力端子２０ｃ及び音楽プレーヤ１の入力端子１０ｃ、音楽プレーヤ１のアナログ出力端子１０ｂ及びオーディオ装置２のアナログ入力端子２０ｂ、音楽プレーヤ１のＵＳＢ接続端子１０ａ及びオーディオ装置２のＵＳＢ接続端子２０ａをそれぞれ異なる接続ケーブルを介して接続するように構成してもよい。
【図面の簡単な説明】
【００７９】
【図１】本発明に係る電気機器システムの構成例を示す斜視図である。
【図２】本発明に係る電気機器システムの概略構成例を示すブロック図である。
【図３】本発明に係る電気機器システムの概略構成例を示すブロック図である。
【図４】音楽プレーヤによるアナログ信号の伝送処理からデジタル信号の伝送処理への切替処理の手順を示すフローチャートである。
【図５】音楽プレーヤによるデジタル信号の伝送処理からアナログ信号の伝送処理への切替処理の手順を示すフローチャートである。
【符号の説明】
【００８０】
１  音楽プレーヤ（第１電気機器）
１ａ  ＵＳＢ接続用ボタン（受付手段）
１０  機器コネクタ
１０ａ  ＵＳＢ接続端子（デジタル出力端子）
１０ｂ  アナログ出力端子
１０ｃ  入力端子
１１  マイコン（出力制御手段）
Ｒ１  抵抗（負荷部）
ＳＷ  スイッチ（切替部）
２  オーディオ装置（第２電気機器、電気機器）
２０  接続コネクタ
２０ａ  ＵＳＢ接続端子（デジタル入力端子）
２０ｂ  アナログ入力端子
２０ｃ  出力端子
【図１】
2006293440.tif 000003
【図２】
2006293440.tif 000004
【図３】
2006293440.tif 000005
【図４】
2006293440.tif 000006
【図５】
2006293440.tif 000007